(57)【要約】【課題】特定の地点における環境の変化を提供すると共に、将来の環境の変化を予測した情報を提供する情報提供システムを提供する。【解決手段】特定の地点における環境に関する環境情報を提供する情報提供システム１であって、前記環境情報を経時的に変化する情報として取得する衛星画像取得処理部３１０と、前記取得した環境情報に含まれる一又は複数の環境パラメータのうち、所定の環境パラメータについて各々レイヤ情報を作成するレイヤ作成処理部３２０と、前記特定の地点における地図情報に、前記レイヤ情報を合成して環境画像を生成する画像合成処理部３３０と、前記環境画像を保存する画像データ保存ＤＢ３５０と、画像データ保存ＤＢ３５０が保存する環境画像を経時的条件に基づいて出力する画像出力処理部３４０とを備える。【選択図】図１
2009133645.tif 000002
【特許請求の範囲】
【請求項１】
特定の地点における環境に関する環境情報を提供する情報提供システムであって、
前記環境情報を経時的に変化する情報として取得する環境情報取得手段と、
前記環境情報取得手段が取得した環境情報に含まれる一又は複数の環境パラメータのうち、所定の環境パラメータについて各々レイヤ情報を作成するレイヤ情報作成手段と、
前記特定の地点における地図情報に、前記レイヤ情報作成手段が作成したレイヤ情報を合成して環境画像を生成する画像合成手段と、
前記画像合成手段が生成した環境画像を保存する環境画像データ保存手段と、
環境画像データ保存手段が保存する環境画像を経時的条件に基づいて出力する出力手段とを備えることを特徴とする情報提供システム。
【請求項２】
請求項１に記載の情報提供システムにおいて、
前記レイヤ情報作成手段が作成した各レイヤ情報の関連を解析するレイヤ関連解析手段を備え、
当該レイヤ関連解析手段にて解析された解析結果が、前記画像合成手段により合成されて環境画像が生成されるか、または、前記画像合成手段に保存されることを特徴とする情報提供システム。
【請求項３】
請求項１または２に記載の情報提供システムにおいて、
前記画像合成手段が合成した環境画像に基づいて、将来の環境を予測して予測画像を生成する予測画像生成手段を備えることを特徴とする情報提供システム。
【請求項４】
請求項３に記載の情報提供システムにおいて、
前記環境画像データ保存手段が保存する環境画像データから現在の環境を示す環境画像データを抽出する現在環境画像データ抽出手段と、
前記環境画像データ保存手段が保存する環境画像データから過去の環境を示す環境画像データを抽出する過去環境画像データ抽出手段と、
前記現在環境画像データ抽出手段及び過去環境画像データ抽出手段が抽出した環境画像データを照合して比較する環境画像データ比較手段とを備え、
前記予測画像生成手段が、前記環境画像データ比較手段にて比較された結果、現在の環境画像データと過去の環境画像データが所定の割合以上合致した場合に過去の環境画像データに基づいて予測画像を生成し、現在の環境画像データと過去の環境画像データが所定の割合未満しか合致しなかった場合に現在の環境画像データに基づいて予測画像を生成することを特徴とする情報提供システム。
【請求項５】
請求項１ないし４のいずれかに記載の情報提供システムにおいて、
前記特定の地点における環境に関する環境情報に衛星からの画像データ情報が含まれることを特徴とする情報提供システム。
【請求項６】
請求項１ないし５のいずれかに記載の情報提供システムにおいて、
前記環境情報が海水温度、海水の比重、ＤＩＮ（溶存無機態窒素：Ｄｉｓｓｏｌｖｅｄ  Ｉｎｏｒｇａｎｉｃ  Ｎｉｔｒｏｇｅｎ）、プランクトン沈殿量、潮位、天気、風向、風速、最高気温、最低気温、河川流入水量、クロロフィルａ濃度、塩分濃度、及び、湿度の少なくとも一の情報であることを特徴とする情報提供システム。
【請求項７】
請求項１ないし６のいずれかに記載の情報提供システムにおいて、
前記特定の地点が海苔の養殖場であることを特徴とする情報提供システム。
【請求項８】
特定の地点における環境に関する環境情報を提供する情報提供方法であって、
前記環境情報を取得する情報取得ステップと、
前記環境情報取得手段が取得した環境情報に含まれる一又は複数の環境パラメータのうち、所定の環境パラメータについてレイヤ画像を作成するレイヤ画像作成ステップと、
前記特定の地点における地図情報に、前記レイヤ画像作成手段が作成したレイヤ画像を合成して環境画像を生成する画像合成ステップと、
前記画像合成手段が生成した環境画像を表示する表示ステップとを含むことを特徴とする情報提供方法。
【請求項９】
特定の地点における環境に関する環境情報を提供するようにコンピュータを実行させるための情報提供プログラムであって、
前記環境情報を取得する情報取得手順と、
前記環境情報取得手段が取得した環境情報に含まれる一又は複数の環境パラメータのうち、所定の環境パラメータについてレイヤ画像を作成するレイヤ画像作成手順と、
前記特定の地点における地図情報に、前記レイヤ画像作成手段が作成したレイヤ画像を合成して環境画像を生成する画像合成手順と、
前記画像合成手段が生成した環境画像を表示する表示手順とをコンピュータに実行させるための情報提供プログラム。
【発明の詳細な説明】
【技術分野】
【０００１】
本発明は、特定の地点に関する情報を提供する情報提供システムに関し、特に、当該特定の地点における環境に関する情報を提供する情報提供システム等に関する。
【背景技術】
【０００２】
一次産業においては環境に関する情報は非常に重要である。特に、海上においては地上以上に環境が複雑となっており、養殖業を営む人にとって海況を把握することは必要不可欠である。地上や海上の環境を把握する手段として、天気予報の際に一般的に利用される、衛星から送られてくる衛星画像を利用する手段がある。衛星画像を利用することで、地上が海上の様々な情報を把握することが可能となる。しかし、一次産業において、衛星画像等を利用した情報の提供を行うインフラ整備がきちんと整っていないという現状がある。このような現状において、衛星画像から特定の地点に関する情報を取得する技術として特許文献１に示す技術がある。
【０００３】
特許文献１に示す技術は、地図上のどの地点でもできるだけ円滑に参照することができると共に、この参照可能にともなってハードウェア資源の使用を大幅に増やすことのない画像表示方法であり、端末が表示画像を縮小した縮小表示画像又は表示画像をベクトル情報化したベクトル化表示画像からなるメニュー画像を複数に画定し、この画定した画定領域に識別番号を付してメニュー画像を表示し、選択された画定領域及び周辺の画定領域を取得し、当該画定領域を保存し表示する。
【特許文献１】特開２００５−３３９４５９号公報
【発明の開示】
【発明が解決しようとする課題】
【０００４】
しかしながら、特許文献１に示す技術は、特定の地点に関する情報を表示して参照することはできるが、その時点における情報しか表示されないため、環境の変化を参照したり今後の予測を行うことができないという課題を有する。
【０００５】
そこで、本発明は前記課題を解決するためになされたものであり、特定の地点における環境の変化を提供すると共に、将来の環境の変化を予測した情報を提供する情報提供システム、情報提供方法、及び、情報提供プログラムを提供することを目的とする。
【課題を解決するための手段】
【０００６】
（１．環境を経時的に表示）
本発明に係る情報提供システムは、特定の地点における環境に関する環境情報を提供する情報提供システムであって、前記環境情報を経時的に変化する情報として取得する環境情報取得手段と、前記環境情報取得手段が取得した環境情報に含まれる一又は複数の環境パラメータのうち、所定の環境パラメータについて各々レイヤ情報を作成するレイヤ情報作成手段と、前記特定の地点における地図情報に、前記レイヤ情報作成手段が作成したレイヤ情報を合成して環境画像を生成する画像合成手段と、前記画像合成手段が生成した環境画像を保存する環境画像データ保存手段と、環境画像データ保存手段が保存する環境画像を経時的条件に基づいて出力する出力手段とを備えるものである。
【０００７】
このように、本発明においては、特定の地点における環境情報に含まれるパラメータからレイヤ情報を生成し、当該レイヤ情報を画像として合成し、経時的な条件に基づいて当該合成された画像を出力するため、生成されたレイヤ情報から環境の変化を確認することができ、一次産業を行う人にとって大変有意義な情報を提供することができるという効果を奏する。
【０００８】
（２．レイヤ情報間の関連性）
本発明に係る情報提供システムは、前記レイヤ情報作成手段が作成した各レイヤ情報の関連を解析するレイヤ関連解析手段を備え、当該レイヤ関連解析手段にて解析された解析結果が、前記画像合成手段により合成されて環境画像が生成されるか、または、前記画像合成手段に保存されるものである。
【０００９】
このように、本発明においては、所定の環境パラメータごとに生成された複数のレイヤ情報の関連が解析されるため、環境パラメータを相互的に判断することができ、一次産業への影響を正確で且つ迅速に確認することができるという効果を奏する。
なお、この場合、地図情報として必ずしも所定の地点の形状を示す図を用いる必要はなく、経緯等により場所がわかる情報を用いればよい。
【００１０】
（３．予測処理）
本発明に係る情報提供システムは、前記画像合成手段が合成した環境画像に基づいて、将来の環境を予測して予測画像を生成する予測画像生成手段を備えるものである。
このように、本発明においては、将来の環境を予測して予測画像を生成するため、今後のスケジュールを立てるような場合に、大変有意義な情報として提供することができるという効果を奏する。
【００１１】
（４．過去のデータからの予測処理）
本発明に係る情報提供システムは、前記環境画像データ保存手段が保存する環境画像データから現在の環境を示す環境画像データを抽出する現在環境画像データ抽出手段と、前記環境画像データ保存手段が保存する環境画像データから過去の環境を示す環境画像データを抽出する過去環境画像データ抽出手段と、前記現在環境画像データ抽出手段及び過去環境画像データ抽出手段が抽出した環境画像データを照合して比較する環境画像データ比較手段とを備え、前記予測画像生成手段が、前記環境画像データ比較手段にて比較された結果、現在の環境画像データと過去の環境画像データが所定の割合以上合致した場合に過去の環境画像データに基づいて予測画像を生成し、現在の環境画像データと過去の環境画像データが所定の割合未満しか合致しなかった場合に現在の環境画像データに基づいて予測画像を生成するものである。
このように、本発明においては、将来の環境を過去のデータと比較して行うため、予測の正確性を高めることができるという効果を奏する。
【００１２】
（５．衛星画像の利用）
本発明に係る情報提供システムは、前記特定の地点における環境に関する環境情報に衛星からの画像データ情報が含まれるものである。
このように、本発明においては、環境情報に衛星からの画像データ情報が含まれるため、衛星画像から把握することができる様々な環境情報をパラメータとして多様的に画像を提供することができるという効果を奏する。
【００１３】
（６．衛星画像の利用）
本発明に係る情報提供システムは、前記環境情報が海水温度、海水の比重、ＤＩＮ（溶存無機態窒素：Ｄｉｓｓｏｌｖｅｄ  Ｉｎｏｒｇａｎｉｃ  Ｎｉｔｒｏｇｅｎ）、プランクトン沈殿量、潮位、天気、風向、風速、最高気温、最低気温、河川流入水量、クロロフィルａ濃度、塩分濃度、及び、湿度の少なくとも一の情報であることを特徴とするものである。
【００１４】
このように、本発明においては、環境情報が海水温度、海水の比重、ＤＩＮ、プランクトン沈殿量、潮位、天気、風向、風速、最高気温、最低気温、河川流入水量、クロロフィルａ濃度、塩分濃度、及び、湿度の少なくとも一の情報であるため、地上の環境だけではなく、海上及び海中の環境についても情報を提供することができ、一次産業全般に対して有意義な情報を提供することができるという効果を奏する。
【００１５】
（７．海苔養殖場の環境情報の提供）
本発明に係る情報提供システムは、前記特定の地点が海苔の養殖場であるものである。
このように、本発明においては、特定の地点が海苔の養殖場であるため、海上や海水の環境により大きく左右され、且つ、環境の変化に敏感に対応することが求められる海苔養殖業者にとって大変有意義な情報を提供することができる。特に、海苔の養殖においては、重要な要素となる環境パラメータが複雑で且つ多様的であるため、養殖場の区画ごとに詳細な環境情報、環境の変化、環境変化の予測を提供することが重要となる。
【００１６】
これまで、本発明をシステムとして示したが、所謂当業者であれば明らかであるように本発明を装置、方法、及び、プログラムとして捉えることもできる。これら前記の発明の概要は、本発明に必須となる特徴を列挙したものではなく、これら複数の特徴のサブコンビネーションも発明となり得る。
【発明を実施するための最良の形態】
【００１７】
以下、本発明の実施の形態を説明する。本発明は多くの異なる形態で実施可能である。従って、本実施形態の記載内容のみで本発明を解釈すべきではない。また、本実施形態の全体を通して同じ要素には同じ符号を付けている。
【００１８】
本実施の形態では、主にシステムについて説明するが、所謂当業者であれば明らかな通り、本発明は装置、方法、及び、コンピュータを動作させるためのプログラムとしても実施できる。また、本発明はハードウェア、ソフトウェア、または、ハードウェア及びソフトウェアの実施形態で実施可能である。プログラムは、ハードディスク、ＣＤ−ＲＯＭ、ＤＶＤ−ＲＯＭ、光記憶装置、または、磁気記憶装置等の任意のコンピュータ可読媒体に記録できる。さらに、プログラムはネットワークを介した他のコンピュータに記録することができる。
【００１９】
（本発明の第１の実施形態）
（１．構成と機能）
（１−１  システム構成と機能）
図１は、本実施形態に係る情報提供システムのシステム構成図である。情報提供システム１は、サーバ１１０と、海況・気象情報提供元端末１２０と、衛星画像提供元端末１３０と、ユーザ端末１４０とがネットワークを介して接続される。
【００２０】
サーバ１１０は、システム全体の管理を行う装置である。例えば、環境情報を受信して分析、解析等の処理を行いユーザに提供したり、データの管理等の処理を行う。
【００２１】
海況・気象情報提供元端末１２０は、海況に関する情報や気象に関する情報を入手してサーバ１１０に送信する処理を行う端末である。
【００２２】
衛星画像提供元端末１３０は、衛星１３２から撮像された衛星画像をアンテナ１３１を介して受信し、受信した衛星画像をサーバ１１０に送信する処理を行う端末である。
【００２３】
ユーザ端末１４０は、サーバ１１０にアクセスして、提供される情報を受信する処理を行う端末である。受信した情報は表示画面に表示され、各ユーザはその表示画面を参照して情報を取得することができる。
【００２４】
なお、前記システム構成において、情報を提供する端末を海況・気象情報提供元端末１２０と衛星画像提供元端末１３０としたが、いずれか一方でもよいし、これらを一体的な端末として捉えてもよい。また、情報提供端末を備えずに、現地で撮像した画像や測定した情報を直接サーバ１１０に入力するようにしてもよい。
さらに、図１においてユーザ端末１４０を携帯電話として記載しているが、サーバ１１０と通信可能な通信機能を備えた装置であれば何でもよい。
【００２５】
（１−２  情報提供システムで使用するコンピュータのハードウェア構成）
図２は、本実施形態に係る情報提供システムで使用するコンピュータのハードウェアの構成図である。コンピュータ２００は、ＣＰＵ(Central  Processing  Unit)２０１、ＲＡＭ(Random  Access  Memory)２０２、ＲＯＭ(Read  Only  Memory)２０３、フラッシュメモリ(Flash  memory)２０４、外部記憶装置であるＨＤ(Hard  disk)２０５、ＬＡＮ(Local  Area  Network)カード２０６、マウス２０７、キーボード２０８、ビデオカード２０９、このビデオカード２０９と電気的に接続する表示装置であるディスプレイ２０９ａ、サウンドカード２１０、このサウンドカード２１０と電気的に接続する音出力装置であるスピーカ２１０ａ及びフレキシブルディスク、ＣＤ−ＲＯＭ、ＤＶＤ−ＲＯＭ等の記憶媒体を読み書きするドライブ２１１からなる。
【００２６】
なお、上記ハードウェア構成はあくまで一例を示したものであり、構成要素の変更をすることができるのは当然である。
また、上記ハードウェア以外にも、例えば、携帯電話やＰＤＡ等の携帯情報端末のハードウェアを用いてもよい。
【００２７】
（１−３  モジュール構成と機能）
図３及び図４は、本実施形態に係る情報提供システムにおけるサーバ１１０のモジュール構成図である。図３は、環境情報を入力して保存する処理を行う処理部の構成を示すモジュール構成図であり、図４は、ユーザからの要求に応じて環境情報を出力する処理を行う処理部の構成を示すモジュール構成図である。
【００２８】
（１−３−１  環境情報を入力して保存する処理を行う処理部の構成と機能）
図３において、サーバ１１０は、出力手段としての画像出力処理部３４０と、環境画像データ保存手段としての画像データ保存ＤＢ３５０と、登録・分析処理部３６０とを備える。登録・分析処理部３６０は、環境情報取得手段としての衛星画像取得処理部３１０と、レイヤ情報作成手段としてのレイヤ作成処理部３２０と、画像合成手段としての画像合成処理部３３０とを備える。さらに、レイヤ作成処理部３２０は、基図取得処理部３２１と、河川流入水分析処理部３２２と、クロロフィルａデータ分析処理部３２３とを備える。
衛星画像取得処理部３１０は、衛星画像提供元端末１３０から衛星画像を取得する処理を行う。
【００２９】
基図取得処理部３２１は、画像の基本となる地図情報が描かれた基図を画像データ保存ＤＢ３５０から取得して第１のレイヤとして作成する処理を行う。この時、衛星画像取得処理部３１０が取得した衛星画像に含まれる地域の基図を取得する。
【００３０】
河川流入水分析処理部３２２は、衛星画像取得処理部３１０が取得した衛星画像、並びに、海況・気象情報提供元端末１２０から提供される海況、及び、気象の情報に基づいて河川から海への流入水量を分析して第２のレイヤを作成する処理を行う。ここで作成された第２のレイヤは、画像データ保存ＤＢ３５０に保存されると共に、基図取得処理部３２１が作成した第１のレイヤと合成される。
【００３１】
クロロフィルａデータ分析処理部３２３は、衛星画像取得処理部３１０が取得した衛星画像、並びに、海況・気象情報提供元端末１２０から提供される海況、及び、気象の情報に基づいてクロロフィルａの濃度を分析して第３のレイヤを作成する処理を行う。ここで作成された第３のレイヤは、画像データ保存ＤＢ３５０に保存されると共に、基図取得処理部３２１が作成した第１のレイヤ、及び／または、河川流入水分析処理部３２２が作成した第２のレイヤと合成される。
【００３２】
画像合成処理部３３０は、基図取得処理部３２１が作成した第１のレイヤ、及び、河川流入水分析処理部３２２が作成した第２のレイヤ、並びに／または、クロロフィルａデータ分析処理部３２３が作成した第３のレイヤを合成して１つの画像を生成する処理を行う。
画像出力処理部３４０は、画像データ保存ＤＢ３５０に保存された画像データや、その他の環境情報を出力する処理を行う。
【００３３】
画像データ保存ＤＢ３５０は、基図取得処理部３２１が作成した第１のレイヤ、河川流入水分析処理部３２２が作成した第２のレイヤ、クロロフィルａデータ分析処理部３２３が作成した第３のレイヤ、画像合成処理部３３０が合成した画像データ、及び、海況・気象情報提供元端末１２０から提供された情報等を保存するデータベースである。その他、様々な情報を保存することが可能である。
【００３４】
なお、レイヤ作成処理部３２０においては、基図取得処理部３２１、河川流入水分析処理部３２２、及び、クロロフィルａデータ分析処理部３２３がレイヤの作成を行うが、これ以外にも、海水温度、海水の比重、ＤＩＮ、プランクトン沈殿量、潮位、天気、風向、風速、最高気温、最低気温、塩分濃度、及び、湿度等の様々な環境情報に基づいたレイヤの作成を行うようにしてもよい。
【００３５】
（１−３−２  環境情報を出力する処理を行う処理部の構成と機能）
図４において、サーバ１１０は、図３で備える処理部に加えて、ユーザ情報受信処理部４１０と、登録処理部４２０と、認証処理部４３０と、情報出力部４４０と、ユーザ情報ＤＢ４５０とを備える。
ユーザ情報受信処理部４１０は、ユーザ端末１４０から送信される情報を受信する処理を行う。ユーザ端末１４０から送信される情報として、例えば、ユーザ登録を行う場合のユーザの個人情報やサーバ１１０へのアクセスを行うためのＩＤやパスワードの情報がある。
【００３６】
登録処理部４２０は、ユーザが登録を行う場合に、個人情報等をユーザ情報ＤＢ４５０に登録する処理を行う。この処理は、登録時に１回だけ行えばよい。登録されたユーザにはユーザごとにＩＤとパスワードが設定される。
【００３７】
認証処理部４３０は、ユーザがサーバ１１０にアクセスする際にユーザ端末１４０から送信されたＩＤとパスワードに基づいて認証する処理を行う。認証されたユーザ端末１４０のみがサーバ１１０にアクセスして様々な情報を参照することができるようになる。
【００３８】
情報出力部４４０は、画像データ保存ＤＢ３５０が保存する画像情報やその他の環境情報をユーザ端末１４０に出力する処理を行う。図示していないが、メニュー情報やその他画像データ保存ＤＢ３５０が保存するデータ以外の様々なデータがユーザ端末１４０に対して出力される。
ユーザ情報ＤＢ４５０は、登録されているユーザに関する情報が保存されたデータベースである。
【００３９】
（２．動作）
図５及び図６は、本実施形態に係る情報提供システムにおけるサーバ１１０の動作を示すフローチャートである。図５は、環境情報を入力して保存する処理のフローチャートであり、図６は、ユーザからの要求に応じて環境情報を出力する処理のフローチャートである。
【００４０】
（２−１  環境情報を入力して保存する処理動作）
図５において、まず、衛星画像データを取得する（ステップＳ５０１）。海況情報、気象情報、及び、取得した衛星画像データに基づいてレイヤを作成する（ステップＳ５０２）。ここでのレイヤの作成は、基図のレイヤ、河川流入水量のレイヤ、及び、クロロフィルａ濃度のレイヤの少なくとも一のレイヤが作成される。それぞれのレイヤを合成して１つの合成画像データを生成し（ステップＳ５０３）、画像データ保存ＤＢ３５０に保存する（ステップＳ５０４）。この時、合成画像データと併せて、合成される前の各レイヤもそれぞれ画像データ保存ＤＢ３５０に保存される。また、ステップＳ５０１で取得した衛星画像データや、海況情報、気象情報も併せて保存される。ユーザからの要求により、画像データ保存ＤＢ３５０に保存された各データを出力して（ステップＳ５０５）、処理を終了する。
【００４１】
（２−２  環境情報を出力する処理動作）
図６において、まず、ユーザ端末１４０からサーバ１１０にアクセスする（ステップＳ６０１）。ユーザ登録が未済みのユーザについては、事前にユーザ登録を行う必要があり、ここでは既にユーザ登録がされているとする。ユーザ登録済みの場合はＩＤとパスワードでユーザ認証を行う（ステップＳ６０２）。認証がされたかどうかを判定し（ステップＳ６０３）、認証されなかった場合はステップＳ６０２に戻って再度ユーザ認証を行う。認証された場合は、ユーザ端末１４０にメニュー情報を表示する（ステップＳ６０４）。ユーザは自分が参照したいメニューを選択する（ステップＳ６０５）。ここでは、天気情報、海況情報、衛星画像情報のメニューがあり、天気情報が選択された場合は画像データ保存ＤＢ３５０に保存された天気情報を表示する（ステップＳ６０６）。海況情報が選択された場合は画像データ保存ＤＢ３５０に保存された海況情報を表示する（ステップＳ６０７）。衛星画像情報が選択された場合は画像データ保存ＤＢ３５０に保存された衛星画像情報を表示して（ステップＳ６０８）、処理を終了する。
【００４２】
このように、本実施形態に係る情報提供システムによると、特定の地点における環境情報に含まれるパラメータからレイヤ情報を生成し、当該レイヤ情報を画像として合成し、経時的な条件に基づいて当該合成された画像を出力するため、生成されたレイヤ情報から環境の変化を確認することができ、一次産業を行う人にとって大変有意義な情報を提供することができる。
また、環境情報に衛星からの画像データ情報を含むことで、衛星画像から把握することができる様々な環境情報をパラメータとして多様的に画像を提供することができる。
【００４３】
さらに、環境情報が海水温度、海水の比重、ＤＩＮ、プランクトン沈殿量、潮位、天気、風向、風速、最高気温、最低気温、河川流入水量、クロロフィルａ濃度、塩分濃度、及び、湿度の少なくとも一の情報であるため、地上の環境だけではなく、海上及び海中の環境についても情報を提供することができ、一次産業全般に対して有意義な情報を提供することができる。
【００４４】
さらにまた、海苔の養殖場の環境情報を提供する場合、海苔の養殖は、海上や海水の環境により大きく左右され、且つ、環境の変化に敏感に対応することが求められるため、海苔養殖業者にとって大変有意義な情報を提供することができる。特に、海苔の養殖においては、重要な要素となる環境パラメータが複雑で且つ多様的であるため、養殖場の区画ごとに詳細な環境情報、環境の変化、環境変化の予測を提供することが重要となる。
【００４５】
（本発明の第２の実施形態）
以下、本発明の第２の実施形態を説明するが、ここでは、第１の実施形態と異なる部分のみを詳細に説明する。
（１．構成）
図７は、本実施形態に係る情報提供システムにおけるサーバ１１０のモジュール構成図である。第１の実施形態と異なる部分は、レイヤ関連解析処理部７１０を備えている点である。
レイヤ関連解析処理部７１０は、レイヤ作成処理部３２０で作成された各々のレイヤ間の関連性を解析する処理を行う。解析した結果は、画像合成処理部３３０で１つの画像に合成されると共に、画像データ保存ＤＢ３５０に保存される。
【００４６】
（２．動作）
図８は、本実施形態に係る情報提供システムにおけるサーバ１１０の動作を示すフローチャートである。ステップＳ５０２までの処理は、第１の実施形態と同様であるため説明は省略する。ステップＳ５０２で複数のレイヤが作成されると、各レイヤ間の関連性を解析する（ステップＳ５０２ａ）。作成された各レイヤ及び各レイヤ間の関連性を解析した結果に基づいて合成画像データを作成する（ステップＳ５０３ａ）。ステップＳ５０４以降の処理は第１の実施形態と同様であるため説明は省略する。
【００４７】
ここで、各レイヤ間の関連性の解析について詳細に説明する。図９は、レイヤ間の関係性を解析する処理の一例を示す図である。ここでは、ある地点Ｘにおける情報に合成画像
として複数のグラフが合成された画像が生成される。つまり、各グラフがレイヤに該当しグラフ間の関連性を解析することで、レイヤ間の関連性を解析することができる。図９のグラフは、複数の環境パラメータの経時的な変化を示している。例えば、時刻Ａにおいては潮位が低いため河川流入水量が多いが、時刻Ｂに時間が経つに連れて潮位が上がるため河川流入水量が減少する。時刻Ａの時点では、ある海産物Ｔにとって非常に良い環境であったが、時刻Ｂの時点では、その海産物Ｔにとって非常に悪い環境となってしまう場合や、時刻Ａの時点では、ある海産物Ｔにとって非常に良い環境であったが海産物Ｓにとっては非常に悪い環境となってしまうような場合には、パラメータ間の関連性に基づいて事前に対応することができる。さらに、海水温度や塩分濃度との関連性を考慮して解析を行うことで、より正確に海産物Ｔや海産物Ｓへの影響を迅速に把握して対応することができる。
【００４８】
なお、ここでは、各レイヤをグラフとし、それを合成して画像を作成したが、上記で説明したように衛星画像に含まれる地域の地図情報を基本にして、各レイヤを分布図として重ねて合成するようにしてもよい。
【００４９】
また、図９に示す情報はあくまで一例であり、対象となる海産物が動植物により利用者が任意に環境パラメータを選択できるようにしてもよい。
このように、本実施形態に係る情報提供システムによれば、所定の環境パラメータごとに生成された複数のレイヤ情報の関連が解析されるため、環境パラメータを相互的に判断することができ、一次産業等（特に、海苔の養殖）への影響を正確で且つ迅速に確認することができる。
【００５０】
（本発明の第３の実施形態）
以下、本発明の第３の実施形態を説明するが、ここでは、第１または第２の実施形態と異なる部分のみを詳細に説明する。
（１．構成）
図１０は、本実施形態に係る情報提供システムにおけるサーバ１１０のモジュール構成図である。図３及び図７と異なる点は、現在データ抽出処理部１０１０と、過去データ抽出処理部１０２０と、データ比較処理部１０３０と、予測画像生成処理部１０４０とを備える点である。
【００５１】
現在データ抽出処理部１０１０は、現在の環境情報、つまり最新の環境情報を画像データ保存ＤＢ３５０から抽出する処理を行う。
過去データ抽出処理部１０２０は、過去の環境情報を画像データ保存ＤＢ３５０から抽出する処理を行う。
【００５２】
データ比較処理部１０３０は、現在データ抽出処理部１０１０が抽出した環境情報と過去データ抽出処理部１０２０が抽出した環境情報とを照合して比較する処理を行う。比較した結果、所定の割合以上で過去の環境情報と現在の環境情報が一致した場合は、過去の環境情報を予測画像として出力する。
【００５３】
予測画像生成処理部１０４０は、データ比較処理部１０３０が比較を行った結果、所定の割合未満しか過去の環境情報と現在の環境情報が一致していない場合に、将来の環境情報の予測を行い、予測画像を生成する処理を行う。また、所定の割合以上一致した場合でも多少の予測画像の生成を行う場合がある。
【００５４】
なお、ここでは、過去の環境情報に関するデータに基づいて予測を行う構成としているが、過去データ抽出処理部１０２０及びデータ比較処理部１０３０を備えず、現在データ抽出処理部１０１０が抽出したデータのみから予測を行い、予測画像を生成する構成としてもよい。
【００５５】
（２．動作）
図１１は、本実施形態に係る情報提供システムにおけるサーバ１１０の動作を示すフローチャートである。ステップＳ５０１からステップＳ５０４までの処理は、第１の実施形態と同様であるため説明は省略する。なお、図１１は、ステップＳ５０１からステップＳ５０４までの処理について第１の実施形態と同様の処理を記載しているが、第２の実施形態と同様の処理でもよい。
【００５６】
ステップＳ５０４で画像データ保存ＤＢに画像データが保存されると、保存された画像データの中から現在及び過去の画像データを抽出し（ステップＳ５０４ａ）、照合して比較する（ステップＳ５０４ｂ）。照合した結果、合致した割合を判定し（ステップＳ５０４ｃ）、所定の割合以上合致した場合は、過去の画像データを利用して予測画像を生成し（ステップＳ５０４ｄ）、所定の割合未満しか合致していない場合は、新たに予測画像を生成する（ステップＳ５０４ｅ）。そして、他の画像や情報を出力する際に予測画像を併せて出力して（ステップ５０５）、処理を終了する。
【００５７】
なお、図１１において、ステップＳ５０４ａで現在の画像データのみを抽出し、ステップＳ５０４ｂ、ステップＳ５０４ｃ、及び、ステップＳ５０４ｄの処理を省略して、ステップＳ５０４ｅの新たに予測画像を生成する処理を行ってもよい。
【００５８】
ここで、上記処理の処理結果について説明する。図１２は、予測画像の一例を示す図である。ここでは、海況情報に基づいて本日の衛星画像が合成されている。本日の衛星画像と過去及び現在の海況情報や衛星画像に基づいて解析を行い、明日の衛星画像が予測画像として生成されている。ユーザは、ユーザ端末１４０から本日の衛星画像や明日の衛星画像をいつでも参照することができる。
【００５９】
なお、ここでは翌日の予測画像を生成して表示しているが、週単位、月単位、季節単位、年単位等、様々な時間ごとに予測画像を生成するようにしてもよい。
このように、本実施形態に係る情報提供システムによれば、将来の環境を予測して予測画像を生成するため、今後のスケジュールを立てるような場合に、大変有意義な情報として提供することができる。また、将来の環境を過去のデータと比較して行うため、予測の正確性を高めることができる。
【図面の簡単な説明】
【００６０】
【図１】第１の実施形態に係る情報提供システムのシステム構成図である。
【図２】第１の実施形態に係る情報提供システムで使用するコンピュータのハードウェアの構成図である。
【図３】第１の実施形態に係る情報提供システムにおけるサーバの第１のモジュール構成図である。
【図４】第１の実施形態に係る情報提供システムにおけるサーバの第２のモジュール構成図である。
【図５】第１の実施形態に係る情報提供システムにおけるサーバの動作を示す第１のフローチャートである。
【図６】第１の実施形態に係る情報提供システムにおけるサーバの動作を示す第２のフローチャートである。
【図７】第２の実施形態に係る情報提供システムにおけるサーバのモジュール構成図である。
【図８】第２の実施形態に係る情報提供システムにおけるサーバの動作を示すフローチャートである。
【図９】レイヤ間の関係性を解析する処理の一例を示す図である。
【図１０】第３の実施形態に係る情報提供システムにおけるサーバのモジュール構成図である。
【図１１】第３の実施形態に係る情報提供システムにおけるサーバの動作を示すフローチャートである。
【図１２】予測画像の一例を示す図である。
【符号の説明】
【００６１】
１  情報提供システム
１１０  サーバ
１２０  海況・気象情報提供元端末
１３０  衛星画像提供元端末
１３１  アンテナ
１３２  衛星
１４０  ユーザ端末
２００  コンピュータ
２０１  ＣＰＵ
２０２  ＲＡＭ
２０３  ＲＯＭ
２０４  フラッシュメモリ
２０５  ＨＤ
２０６  ＬＡＮカード
２０７  マウス
２０８  キーボード
２０９  ビデオカード
２０９ａ  ディスプレイ
２１０  サウンドカード
２１０ａ  スピーカ
２１１  ドライブ
３１０  衛星画像取得処理部
３２０  レイヤ作成処理部
３２１  基図取得処理部
３２２  河川流入水分析処理部
３２３  クロロフィルａデータ分析処理部
３３０  画像合成処理部
３４０  画像出力処理部
３５０  画像データ保存ＤＢ
３６０  登録・分析処理部
４１０  ユーザ情報受信処理部
４２０  登録処理部
４３０  認証処理部
４４０  情報出力部
４５０  ユーザ情報ＤＢ
７１０  レイヤ関連解析処理部
１０１０  現在データ抽出処理部
１０２０  過去データ抽出処理部
１０３０  データ比較処理部
１０４０  予測画像生成処理部
【図１】
2009133645.tif 000003
【図２】
2009133645.tif 000004
【図３】
2009133645.tif 000005
【図４】
2009133645.tif 000006
【図５】
2009133645.tif 000007
【図６】
2009133645.tif 000008
【図７】
2009133645.tif 000009
【図８】
2009133645.tif 000010
【図９】
2009133645.tif 000011
【図１０】
2009133645.tif 000012
【図１１】
2009133645.tif 000013
【図１２】
2009133645.tif 000014